(57)【要約】【課題】ホースを使用する際の使用勝手の良いアップライト型電気掃除機を提供する。【解決手段】吸気口を備えた集塵ボックス１２を有した掃除機本体１と、掃除機本体１下方に回動自在に保持された床ノズル６と、一端に、床ノズル６に着脱自在の先端パイプを、他端に吸気口に連通すると共に掃除機本体１に回転自在に保持される接続パイプ１８を有するホース１４と、上端が掃除機本体１に回動自在に軸支され、下端が床面と接地し爪体２２を有するスタンド１９を外方に付勢するバネ体Ａ２３と、掃除機本体１に設けられ爪体２２と係合する保持体２４を係合方向に付勢するバネ体Ｂ２５を備え、接続パイプ１８の回転時に爪体２２と保持体２４との係合が解除されるもので、ホース１４を使用するために先端パイプ１７を外すと、接続パイプ１８が回転し、保持体２４と爪体２２との係合が解除され、スタンド１９が飛び出して掃除機本体１を支える。【選択図】図２
2011254876.tif 000002
【特許請求の範囲】
【請求項１】
電動送風機を収納する電動送風機室と連通し、吸気口を具備し塵埃を捕集する集塵室を有した掃除機本体と、前記掃除機本体の上方に配置された操作用のハンドルと、前記掃除機本体下方に回動自在に保持され塵埃を吸引する吸い込み口を具備した床ノズルと、軟質体で形成され、一端に、硬質材で形成され前記床ノズルに着脱自在に保持される先端パイプを、他端に、硬質材で構成され、前記吸気口に連通すると共に前記掃除機本体に回転自在に保持される接続パイプをそれぞれ有するホースと、上端が前記掃除機本体に回動自在に軸支され、下端が床面と接地もしくは床面とある一定の隙間を有し、また爪体を有するスタンドと、前記スタンドを外方に付勢するバネ体Ａと、前記掃除機本体に設けられ、前記爪体と係合する保持体と、前記保持体を、前記爪体との係合方向に付勢するバネ体Ｂとを備え、前記接続パイプの回転時に、前記保持体に接触し、前記爪体と前記保持体との係合を解除する押出部を、前記接続パイプに設けたアップライト型電気掃除機。
【請求項２】
接続パイプのホースとの接続部が上方を向いた時に、爪体と保持体が係合し、前記接続パイプが後方に回転したときに、押出部が前記保持体を動作させて、前記爪体と前記保持体との係合を解除するようにした請求項１に記載のアップライト型電気掃除機。
【請求項３】
スタンドを掃除機本体の後方面に構成し、前記掃除機本体の後方に飛び出すように構成した請求項１または２に記載のアップライト型電気掃除機。
【請求項４】
スタンドの床面側の端部に、ローラーを回転自在に設けた請求項１〜３のいずれか１項に記載のアップライト型電気掃除機。
【請求項５】
スタンドの床面側を、掃除機本体側に屈曲するように構成した請求項１〜４のいずれか１項に記載のアップライト型電気掃除機。
【請求項６】
スタンドの屈曲部を、床面より約２０〜３０ｃｍの高さに位置させた請求項５に記載のアップライト型電気掃除機。
【発明の詳細な説明】
【技術分野】
【０００１】
本発明は、アップライト型電気掃除機に関するものである。
【背景技術】
【０００２】
従来、この種のアップライト型電気掃除機は、床面を掃除するための床ノズルと、床ノズルと回動自在に保持された掃除機本体と、掃除機本体の上方に伸びるハンドルと、床面以外を掃除するためのホースから構成されている（例えば、特許文献１参照）。
【先行技術文献】
【特許文献】
【０００３】
【特許文献１】特開２００６−３２６０２７号公報
【発明の概要】
【発明が解決しようとする課題】
【０００４】
しかしながら、前記従来のアップライト型電気掃除機の構成では、床面以外の掃除を行うためには、掃除機本体を床面に対して略直角状態とした収納状態で床ノズルと保持させ、ホースの先端を床ノズル側より取り外し掃除を行うものであ。しかしアップライト型電気掃除機は、掃除機本体が縦に長いため、ホースを引っ張ると掃除機本体が転倒し易いものであった。そのため、使用者は、片手で掃除機本体を保持し、もう片手でホースを操作し掃除しなければならなかった。そのため掃除中に両手が塞がってしまい、物を動かす事など、掃除がしにくいものであり、使用者への掃除の操作における負担が大きいものであった。また、長いホースを使用し、広い範囲を掃除することが可能であるにもかかわらず、両手を伸ばした範囲しか掃除が出来ないものであった。
【０００５】
本発明は、前記従来の課題を解決するもので、ホースを使用するために掃除機本体よりホースを取り外し掃除の動作を行うだけで、掃除機本体の転倒を防止し、ホースを使用する際も掃除機本体を支える必要がなく、片手でホースの操作が行えるだけでなく、広い範囲を掃除する事が可能となる使用性を向上させたアップライト型電気掃除機を提供することを目的とする。
【課題を解決するための手段】
【０００６】
前記従来の課題を解決するために、本発明のアップライト型電気掃除機は、電動送風機を収納する電動送風機室と連通し、吸気口を具備し塵埃を捕集する集塵室を有した掃除機本体と、前記掃除機本体の上方に配置された操作用のハンドルと、前記掃除機本体下方に回動自在に保持され塵埃を吸引する吸い込み口を具備した床ノズルと、軟質体で形成され、一端に、硬質材で形成され前記床ノズルに着脱自在に保持される先端パイプを、他端に、硬質材で構成され、前記吸気口に連通すると共に前記掃除機本体に回転自在に保持される接続パイプをそれぞれ有するホースと、上端が前記掃除機本体に回動自在に軸支され、下端が床面と接地もしくは床面とある一定の隙間を有し、また爪体を有するスタンドと、前記スタンドを外方に付勢するバネ体Ａと、前記掃除機本体に設けられ、前記爪体と係合する保持体と、前記保持体を、前記爪体との係合方向に付勢するバネ体Ｂとを備え、前記接続パイプの回転時に、前記保持体に接触し、前記爪体と前記保持体との係合を解除する押出部を、前記接続パイプに設けたもので、ホースを使用する際に先端パイプを掃除機本体より取り外すと接続パイプが回転し、接続パイプの押出部により、保持体と爪体との係合が解除され、スタンドが、バネ体Ａの付勢力で掃除機本体の外郭より飛び出し掃除機本体を支えることとなる。これにより掃除機本体の安定性が増し、ホースを使用する際に掃除機本体を手で支える必要がなく、掃除が片手で行うことができるとともに、ホースでの
広い範囲の掃除が可能となり使用性の向上が行える。
【発明の効果】
【０００７】
本発明のアップライト型電気掃除機は、ホースを使用する際に掃除機本体を支えなくても転倒し難く、ホース使用時の掃除範囲の拡大が行えるもので使用性の向上が行えるものである。
【図面の簡単な説明】
【０００８】
【図１】本発明の実施の形態１におけるアップライト型電気掃除機の正面図
【図２】同アップライト型電気掃除機の側面図
【図３】（Ａ）同アップライト型電気掃除機の要部拡大図（図１のＡ部、ホースを使用していない状態）、（Ｂ）同アップライト型電気掃除機の要部拡大図（図１のＡ部、ホースを使用している状態）
【図４】同アップライト型電気掃除機の側面図（ホースを使用している状態）
【図５】同アップライト型電気掃除機の他の例を示す側面図
【発明を実施するための形態】
【０００９】
第１の発明は、電動送風機を収納する電動送風機室と連通し、吸気口を具備し塵埃を捕集する集塵室を有した掃除機本体と、前記掃除機本体の上方に配置された操作用のハンドルと、前記掃除機本体下方に回動自在に保持され塵埃を吸引する吸い込み口を具備した床ノズルと、軟質体で形成され、一端に、硬質材で形成され前記床ノズルに着脱自在に保持される先端パイプを、他端に、硬質材で構成され、前記吸気口に連通すると共に前記掃除機本体に回転自在に保持される接続パイプをそれぞれ有するホースと、上端が前記掃除機本体に回動自在に軸支され、下端が床面と接地もしくは床面とある一定の隙間を有し、また爪体を有するスタンドと、前記スタンドを外方に付勢するバネ体Ａと、前記掃除機本体に設けられ、前記爪体と係合する保持体と、前記保持体を、前記爪体との係合方向に付勢するバネ体Ｂとを備え、前記接続パイプの回転時に、前記保持体に接触し、前記爪体と前記保持体との係合を解除する押出部を、前記接続パイプに設けたもので、ホースを使用する際に先端パイプを掃除機本体より取り外すと接続パイプが回転し、接続パイプの押出部により、保持体と爪体との係合が解除され、スタンドが、バネ体Ａの付勢力で掃除機本体の外郭より飛び出し掃除機本体を支えることとなる。これにより掃除機本体の安定性が増し、ホースを使用する際に掃除機本体を手で支える必要がなく、掃除が片手で行うことができるとともに、ホースでの広い範囲の掃除が可能となり使用性の向上が行える。
【００１０】
第２の発明は、特に、第１の発明の接続パイプのホースとの接続部が上方を向いた時に、爪体と保持体が係合し、前記接続パイプが後方に回転したときに、押出部が前記保持体を動作させて、前記爪体と前記保持体との係合を解除するようにしたもので、ホースを使用するために、先端パイプを取り外しホースを掃除機本体から取り外すことで、ホースの自重によりホースは床面方向に垂れ下がる。これにより、上を向いていた接続パイプのホースとの接続部が、後方に確実に回転する。そのためより確実にスタンドを飛び出させることができる。
【００１１】
第３の発明は、特に、第１または第２の発明のスタンドを掃除機本体の後方面に構成し、前記掃除機本体の後方に飛び出すように構成したもので、掃除機本体が転倒しやすい後方を支えることでより掃除機本体をより安定させることができる。
【００１２】
第４の発明は、特に、第１〜３のいずれか一つの発明のスタンドの床面側の端部に、ローラーを回転自在に設けたもので、スタンドが飛び出して、掃除機本体を支えてる際にも床面を傷つけることを防止できる。またローラーで支えるため、掃除機本体が支えられた状態で床面を容易に移動させることができ、さらに広い範囲の掃除が可能となる。
【００１３】
第５の発明は、特に、第１〜４のいずれか一つの発明のスタンドの床面側を、掃除機本体側に屈曲するように構成したもので、階段等を掃除する際にスタンドが屈曲することで、スタンドは階段の１段目で掃除機本体を支えることができる。これにより階段と掃除機本体がより近くなり、より上段の掃除が可能となる。
【００１４】
第６の発明は、特に、第５の発明のスタンドの屈曲部を、床面より約２０〜３０ｃｍの高さに位置させたもので、階段の１段の高さと略同一の高さに合わせることでより安定性を向上させることができる。
【００１５】
以下、本発明の実施の形態について、図面を参照しながら説明する。なお、この実施の形態によって本発明が限定されるものではない。
【００１６】
（実施の形態１）
図１は、本発明の実施の形態１におけるアップライト型電気掃除機の正面図、図２は、同アップライト型電気掃除機の側面図、図３（Ａ）は、同アップライト型電気掃除機の要部拡大図（図１のＡ部、ホースを使用していない状態）、図３（Ｂ）は、同アップライト型電気掃除機の要部拡大図（図１のＡ部、ホースを使用している状態）、図４は、同アップライト型電気掃除機の側面図（ホースを使用している状態）である。
【００１７】
図１〜３において、１は、本実施の形態におけるアップライト型電気掃除機の掃除機本体で、掃除機本体１には、電動送風機２を収納すると共に、電動送風機２の排気を排出する排気口３と電動送風機２の吸引側に電動送風機室側吸引通路４を具備した電動送風機室５を有している。６は、床ノズルであり、床面より塵埃を吸引するための吸い込み口６ａと、その吸い込み口６ａと連通する吸気通路７と、移動用の床ノズルローラー８を有している。床ノズル６は、掃除機本体１の回動軸９により回動自在に軸支されたものである。１０は、掃除機本体１に回動自在に保持された移動用のローラーである。掃除機本体１の上方には、使用者が掃除機本体１を操作するためのハンドル１１が構成されている。
【００１８】
１２は、掃除機本体１に着脱可能に保持され塵埃を収集する集塵室となる集塵ボックスであり、集塵ボックス１２には、電動送風機２と連通する電動送風機室側吸引通路４と連通する下流側吸気口１３と、軟質体からなるホース１４を介して床ノズル６の吸気通路７と連通する本体吸気通路１５に連通する吸気口１６を有したものである。
【００１９】
次に、ホース１４の片端は、床ノズル６と着脱可能な先端パイプ１７より、もう片端は、掃除機本体１に回転自在に保持される接続パイプ１８によりそれぞれ構成されている。またホース１４は、掃除機本体１の外郭に巻きつけられたもので、掃除機本体１に巻きつけられた状態で、接続パイプ１８のホース１４との接続側が上方となるように構成されたものである。
【００２０】
次に１９は、片端（上端）が、掃除機本体１の外郭後ろ面に設けた軸２０に回転自在に保持され、もう片端（下端）に回転自在に取付けられたスタンドローラー２１を有し、略中央部には爪体２２を有し、掃除機本体１に固定されたバネ体Ａ２３により、掃除機本体１の外郭よりも離れる方向に常時付勢されたスタンドである。
【００２１】
２４は、掃除機本体１に構成されると共に爪体２２と係合する保持体で、バネ体Ｂ２５により、爪体２２との係合側に付勢されている。２６は、接続パイプ１８に構成された押出部である。
【００２２】
以上のように構成された本実施の形態におけるアップライト型電気掃除機について、以
下その動作、作用を説明する。
【００２３】
まず、図２、図３（Ａ）に示すように、掃除機本体１が床面に対して略垂直状態となる掃除機本体１の収納状態において、スタンド１９は、爪体２２と保持体２４とが係止していることによって、掃除機本体１の後面側に固定されている。
【００２４】
次に、図３（Ｂ）、図４のように、ホース１４の先端パイプ１７を取り外し、さらにホース１４を掃除機本体１から離した状態とすると、接続パイプ１８は、ホース１４との接続部分が上面を向いていることから、ホース１４の自重により回転する。接続パイプ１８が自動で回転することにより、接続パイプ１８に設けた押出部２６が、バネ体Ｂ２５の付勢力に抗して保持体２４を下方に移動させる。
【００２５】
この移動により、保持体２４と爪体２２との係合が外れ、スタンド１９は、バネ体Ａ２３により掃除機本体１の後方に飛び出すものである。これらの一連の動作により、使用者がホース１４を使用する際は、スタンド１９が後方に飛び出すことで、掃除機本体１の床面との接触部分のピッチ、すなわち、床ノズルローラー８とスタンドローラー２１との距離が、図４のようにピッチＣとなる。
【００２６】
スタンド１９が飛び出さない状態では、ピッチＤであり、スタンド１９が飛び出すことで、掃除機本体１の後方部側のピッチＥがプラスされたこととなる。これにより、掃除機本体１の安定性が増し、ホース１４を使用する際の使用性が向上できるものである。
【００２７】
また、図５に示すように、スタンド１９を、床面より所定の距離、例えば約２０から３０ｃｍの高さの所で、掃除機本体１側に屈曲自在にすれば、スタンド１９は、階段の１段目で掃除機本体１を支えることができるようになる。これにより階段と掃除機本体１がより近くなるので、より上段の掃除が可能となり掃除機本体１の安定性が増すものである。
【産業上の利用可能性】
【００２８】
以上のように、本発明にかかるアップライト型電気掃除機は、ホースを使用して掃除を行うときの使用勝手が大幅に向上するもので、家庭用、業務用の各種電気掃除機等の用途にも適用できる。
【符号の説明】
【００２９】
１  掃除機本体
６  床ノズル
１２  集塵ボックス（集塵室）
１４  ホース
１６  吸気口
１７  先端パイプ
１８  接続パイプ
１９  スタンド
２０  軸
２１  スタンドローラー（ローラー）
２２  爪体
２３  バネ体Ａ
２４  保持体
２５  バネ体Ｂ
２６  押出部
【図２】
2011254876.tif 000003
【図３】
2011254876.tif 000004
【図４】
2011254876.tif 000005
【図５】
2011254876.tif 000006
【図１】
2011254876.tif 000007